(57)【要約】【課題】簡易な構造で、棚板を好みの高さに容易に変更でき且つ確実に固定でき、使用性と機能性に優れた支持装置を提供すること。【解決手段】上下方向Ａに配置される縦レール部２と、縦レール部２と直交する横方向Ｂに配置される上下多段の横レール部３とを備え、各段の横レール部３を縦レール部２の上下複数箇所にそれぞれ直交状に連設すると共に、縦レール部２の上下方向Ａの一端部に挿入用開口部６を設け、一方、棚板７の一辺７ｃの両端２箇所に、挿入用開口部６から順に挿入されて縦レール部２に沿ってスライド自在とされ且つ縦レール部２からいずれか任意の横レール部３にスライド自在に嵌合する一対の嵌合部８を隔設することで、高さ変更自在な棚板７の支持装置１を構成した。【選択図】図１
2010172391.tif 000002
【特許請求の範囲】
【請求項１】
上下方向に配置される縦レール部と、前記縦レール部と直交する横方向に配置される上下多段の横レール部とを備え、各段の横レール部は前記縦レール部の上下複数箇所にそれぞれ直交状に連設していると共に、前記縦レール部の上下方向の一端部に挿入用開口部が設けられており、棚板の一辺の両端２箇所に、前記縦レール部の挿入用開口部から順に挿入されて縦レール部に沿ってスライド自在とされ且つ縦レール部から任意の横レール部にスライド自在に嵌合する一対の嵌合部が隔設されていることを特徴とする高さ変更自在な棚板の支持装置。
【請求項２】
前記一対の嵌合部が任意の横レール部に嵌合した状態で棚板の一辺が該横レール部により片持ち支持されることを特徴とする請求項１記載の高さ変更自在な棚板の支持装置。
【請求項３】
前記棚板の一対の嵌合部を任意の横レール部に嵌合させた状態で該横レール部と縦レール部とのレール交差部に、各嵌合部を該横レール部に対して位置決めするためのストッパー部材を着脱自在に取り付けてなることを特徴とする請求項１又は２記載の高さ変更自在な棚板の支持装置。
【発明の詳細な説明】
【技術分野】
【０００１】
本発明は、棚板の高さを変更自在とする支持装置に関するものである。
【背景技術】
【０００２】
従来から、洗い場と浴槽とを備えるユニットバスの壁面に、シャンプー、リンスなどの洗髪用品を置く棚板を取り付けた構造が知られている（例えば特許文献１参照）。
【０００３】
ところで、棚板は施工業者によって標準的な高さ寸法が定められている場合があるが、その場合、ユーザーが棚板を実際に使用してみると、棚板の高さがユーザの好みに合わず、使い勝手が悪くなる問題が生じ易いものであった。
【０００４】
なお、高さの異なる位置に棚受ダボを設け、棚板を好みの棚受ダボに移し変えるようにしたラック類が知られているが、棚板が棚受ダボから浮き上がったりガタついたりするという問題があり、そのため固定手段（例えばマグネットやビス）を用いて固定する必要があった。
【０００５】
他の従来例として、上下に延びる垂直レールに沿って棚板を昇降自在とすると共に、この棚板を懸架する吊り下げ紐をモータで巻き取り又は巻き戻すことで棚板の高さ調整を無段階で行なうものが知られている（例えば、特許文献２参照）。
【０００６】
ところがこの従来例では、モータが別途必要となり、構造が複雑且つ大掛かりになるという問題がある。
【先行技術文献】
【特許文献】
【０００７】
【特許文献１】実公平７−２７３１６号公報
【特許文献２】特開平１０−８５０６３号公報
【発明の概要】
【発明が解決しようとする課題】
【０００８】
本発明は従来の問題点に鑑みて発明したものであって、その目的とするところは、簡易な構造で、棚板を好みの高さに容易に変更でき且つ確実に固定でき、使用性と機能性に優れた高さ変更自在な棚板の支持装置を提供することにある。
【課題を解決するための手段】
【０００９】
前記の課題を解決するために、本発明は、上下方向Ａに配置される縦レール部２と、前記縦レール部２と直交する横方向Ｂに配置される上下多段の横レール部３とを備え、各段の横レール部３は前記縦レール部２の上下複数箇所にそれぞれ直交状に連設していると共に、前記縦レール部２の上下方向Ａの一端部に挿入用開口部６が設けられており、棚板７の一辺７ｃの両端２箇所に、前記縦レール部２の挿入用開口部６から順に挿入されて縦レール部２に沿ってスライド自在とされ且つ縦レール部２からいずれか任意の横レール部３にスライド自在に嵌合する一対の嵌合部８が隔設されていることを特徴としている。
【００１０】
このような構成とすることで、棚板７の一辺７ｃに設けた一対の嵌合部８を縦レール部２から任意の横レール部３にスライド嵌合させることによって、施工後においてもユーザーが棚板７を好みの高さに容易に変更自在となると共に、一対の嵌合部８が横レール部３に対して嵌合することで棚板７が横レール部３から浮き上がったりガタついたりしないように確実に固定できるようになる。
【００１１】
また、前記一対の嵌合部８が任意の横レール部３に嵌合した状態で棚板７の一辺７ｃが該横レール部３により片持ち支持されるのが好ましく、この場合、例えば縦レール２と上下多段の横レール部３とをそれぞれ壁面１３に沿って設置し、棚板７の一辺７ｃと反対側の他辺７ｄを自由端にすることにより、支持装置１の省スペース化を図ることができる。
【００１２】
また、前記棚板７の一対の嵌合部８を任意の横レール部３に嵌合させた状態で該横レール部３と縦レール２とのレール交差部４に、各嵌合部８を該横レール部３に対して位置決めするためのストッパー部材５を着脱自在に取り付けてなるのが好ましく、この場合、ストッパー部材５によって横レール部３に対する棚板７の動きを確実に規制できるようになる。
【発明の効果】
【００１３】
請求項１記載の発明は、棚板の一対の嵌合部を縦レール部から任意の横レール部にスライド嵌合させるだけで、棚板の高さを容易に変更自在となると共に、モータや固定手段を別途用いる必要がないため、簡易な構造で、横レール部に対して棚板を好みの高さで固定でき、使用性と機能性とに富んだ支持装置が得られる。
【００１４】
請求項２記載の発明は、横レール部により棚板の一辺を片持ち支持することによって、棚板の使い勝手が良くなると共に、支持装置を省スペースに設置できるものである。
【００１５】
請求項３記載の発明は、レール交差部へのストッパー部材の取り付けによって横レール部に対する棚板の動きを確実に規制できると共に、ストッパー部材を取り外すことで棚板の高さ変更が可能となる。
【図面の簡単な説明】
【００１６】
【図１】本発明の高さ変更自在な棚板の支持装置の一実施形態を示し、（ａ）は正面図、（ｂ）は（ａ）のＤ−Ｄ線に沿う側面断面図、（ｃ）は（ｂ）のＣ部の拡大図である。
【図２】同上の支持装置を設置した浴室ユニットの正面図である。
【図３】（ａ）は同上の縦レール部と横レール部とのレール交差部付近の正面図、（ｂ）は（ａ）の下面図である。
【図４】（ａ）は同上の棚板の平面図、（ｂ）は同上の棚板の一対の嵌合部が取り付けられる一辺の正面図である。
【図５】（ａ）〜（ｅ）は同上の棚板を縦レール部から任意の横レール部にスライドさせて取り付ける動作説明図である。
【図６】他の実施形態であり、（ａ）（ｂ）は棚板の表裏を反転させて取り付ける動作説明図である。
【発明を実施するための形態】
【００１７】
以下、本発明を添付図面に示す実施形態に基いて説明する。
【００１８】
本実施形態の高さ変更自在な棚板７の支持装置１は、図２に示すように、浴槽１１を備える浴室ユニット１０の洗い場１２側の壁面１３に設置される。図中の５０は鏡である。この支持装置１は、上下方向Ａに延びる縦レール部２と、横方向Ｂに延びる上下多段の横レール部３とが前面視で櫛形状に一体化されており、棚板７に設けた一対の嵌合部８,８を任意の横レール部３にスライド自在に嵌合させたものである。
【００１９】
上記縦レール部２には、図３に示すように、前方Ｆに開口した断面略Ｃ字状のレール溝２ａが形成されている。
【００２０】
一方、上下多段の横レール部３は、上下方向Ａに適度の間隔をあけて互いに平行に配置される。各横レール部３には、それぞれ、図１（ｂ）（ｃ）に示すように、前方Ｆに開口した断面略Ｃ字状のレール溝３ａが形成されていると共に、各レール溝３ａの長さ方向の一端部が、図３（ａ）に示す縦レール部２とのレール交差部４において縦レール部２のレール溝２ａに対してそれぞれ直交状に連設している。各レール溝３ａの長さ方向の他端部はそれぞれ閉塞されている。
【００２１】
上記縦レール部２の下端部は、図３（ａ）に示すように、最下段に位置する横レール部３よりも更に下方に突出した挿入用開口部６となっている。
【００２２】
図４は棚板７の一例を示している。本例の棚板７は、ベース板９の外周部に沿って立ち上がる周壁部９ａで囲まれた部位に上方に開放された収納スペース９ｂが設けられている。棚板７の一辺７ｃと反対側の他辺７ｄは自由端部であり、図４（ａ）に示すように円弧状に湾曲形成され、手が触れた際の安全性が確保されている。図中の９ｃは、水抜き孔である。  この棚板７の一辺７ｃの両端２箇所には一対の嵌合部８が間隔をあけて取り付けられている。この一対の嵌合部８間の間隔Ｅは、横レール部３の全長Ｇ（図３（ａ））よりも若干短く設定され、横レール部３内に一対の嵌合部８が余裕を持ってスライド嵌合できるようにしている。本例の各嵌合部８は、図１（ｃ）に示すように、横レール部３のレール溝３ａの天面３ｂ及び上部リップ内面３ｃにそれぞれ摺接する左右２個の上側ローラー８ａ（図４（ｂ））と、レール溝３ａの底面３ｄ及び下部リップ内面３ｅに摺接する左右２個の下側ローラー８ｂ（図４（ｂ））とからなる組ローラーで構成されている。なお図中の８ｃはローラーフレームである。
【００２３】
なお、棚板７として周壁部９ａを持つ構造を例示したが、周壁部９ａを持たない平面状のものであってもよく、棚板７の形状は適宜設計変更自在である。
【００２４】
次に、棚板７を任意の横レール部３に取り付けるにあたっては、先ず、図５（ａ）のように棚板７を垂直姿勢にして一対の嵌合部８を縦レール部２の下端に設けた挿入用開口部６から順に挿入して、縦レール部２に沿ってスライドさせる。そして図５（ｂ）のように、上側に位置する一方の嵌合部８を目標とする横レール部３とのレール交差部４を越えて上方に移動させ且つ下側に位置する他方の嵌合部８を該レール交差部４に位置させた状態で、図５（ｃ）のように棚板７を垂直姿勢から水平姿勢に回動することによって、該横レール部３内に一対の嵌合部８が順にスライドしていき、完全にスライドした後に棚板７の一辺７ｃが横レール部３の外側面に面接触して片持ち支持された状態（図５（ｄ））となる。最後に、図５（ｅ）に示す略Ｔ型の固定用キャップよりなるストッパー部材５を該横レール部３と縦レール２とのレール交差部４に装着する。これにより棚板７の一対の嵌合部８が横レール部３に対して位置決めされる。
【００２５】
一方、任意の横レール部３に支持された棚板７を、高さの異なる別の横レール部３にスライドさせる場合は、ストッパー部材５を取り外し、棚板７を後方移動させて後側の嵌合部８を縦レール部２に突き当てた状態で棚板７を水平姿勢から垂直姿勢に回動して、一対の嵌合部８を順に縦レール部２内に移動させる。その後は前記図５（ｂ）（ｃ）と同じ要領で縦レール部２から別の横レール部３内にスライドさせることで、棚板７の高さ変更が可能となる。
【００２６】
上記構成によれば、浴室ユニット１０の施工後においてもユーザーが棚板７を好みの高さに容易に変更自在となり、棚板７に収納される収納物の形状や大きさに柔軟に対応できるものであると共に、棚板７の嵌合部８が横レール部３に嵌合することで棚板７が浮き上がったりガタついたりしないように確実に支持できるようになり、さらに縦レール部２の挿入用開口部６からの新たな棚板７の追加或いは不要な棚板７の削減が簡単に行なえるものであり、支持装置１の使用性と機能性とが大幅に向上する。しかも、従来のようにモータを用いたり固定手段を別途設けたりする必要もないため、構造を簡素化できる利点がある。
【００２７】
また本例の一対の嵌合部８は、図１（ｃ）に示すように、横レール部３のレール溝３ａの天面３ｂと底面３ｄと上下のリップ内面３ｃ,３ｅにそれぞれ当たるローラー構造であり、且つ棚板７の一辺７ｃと一対の嵌合部８の間で横レール部３の側壁を挟み付ける構造であるので、棚板７を横レール部３により片持ち支持できるようになる。従って、棚板７の一辺７ｃとは反対側の他辺７ｄが自由端となり、しかも壁面１３から前方Ｆへ突出するのは棚板７のみとなるので、支持装置１の省スペース化を図ることができる利点もある。
【００２８】
前記実施形態では図５（ｄ）のように表面７ａが上向きとなるように棚板７を取り付ける場合を説明したが、他の実施形態として、棚板７の表側と裏側とを異なる収納形態にして、表裏の機能を選択できる構造としてもよい。例えば図６（ａ）（ｂ）のように表面７ａが下向き、裏面７ｂが上向きとなるように棚板７を縦レール部２から横レール部３にスライドさせることによって、棚板７の表裏の使い分けが可能となり、棚板７の用途が更に拡大する。
【００２９】
また、前記実施形態では棚板７の一辺７ｃを１本の横レール部３で片持ち支持する場合を説明したが、例えば、相対する２つの壁面に、縦レール部２上下多段の横レール部３とを対向して設置し、棚板７の左右二辺にそれぞれ設けた一対の嵌合部８を、左右の縦レール部２から左右の任意の横レール部３にスライド嵌合させることにより、棚板７の相対する二辺７ｃ、７ｄを左右２本の横レール部３で両持ち支持する構成とすることも可能である。
【００３０】
前記実施形態では、挿入用開口部６を縦レール部２の下端部に設けたが、縦レール部２の上端部に設けてもよい。
【００３１】
本発明の支持装置１は、浴室ユニット１０に用いる棚板７に限らず、キッチン、押入れ内部や居間等、住宅の各部に設けられる収納棚全般に広く適用可能である。
【符号の説明】
【００３２】
１  支持装置
２  縦レール部
３  横レール部
４  レール交差部
５  ストッパー部材
６  挿入用開口部
７  棚板
７ｃ  一辺
８  嵌合部
Ａ  上下方向
Ｂ  横方向
【図１】
2010172391.tif 000003
【図２】
2010172391.tif 000004
【図３】
2010172391.tif 000005
【図４】
2010172391.tif 000006
【図５】
2010172391.tif 000007
【図６】
2010172391.tif 000008